(57)【特許請求の範囲】
【請求項１】
媒体に液体を吐出する吐出部を有し、往復移動方向に往復移動可能なキャリッジと、
前記液体が前記吐出部から吐出されることに伴い発生するミストを回収口から回収する回収部と、を備え、
前記キャリッジは、前記往復移動方向における前記吐出部の少なくとも片側に、前記吐出部から前記液体を吐出することに伴い発生するミストを捕捉する捕捉部を有し、
前記捕捉部は、前記キャリッジの前記往復移動に伴って気流を流入可能な前記ミストの捕捉口と、該気流の出口と、該捕捉口から流入した該気流が該出口方向へ向かうよう規制する規制部と、を有し、
前記出口は、前記回収口と対向可能な位置に設けられ、
前記捕捉口は、前記往復移動方向における端部側に設けられ、
前記捕捉部は、前記捕捉口に回動部が設けられ、該回動部が前記キャリッジの前記往復移動に伴って回動することにより前記捕捉口を開閉可能であり、
前記往復移動方向のうちの前記捕捉口が先方側に位置する方向の移動に伴って、前記捕捉口は開かれる状態となることを特徴とする液体吐出装置。
【請求項２】
請求項１に記載の液体吐出装置において、
前記捕捉口は、前記媒体に面する側に設けられることを特徴とする液体吐出装置。
【請求項３】
請求項１または２に記載の液体吐出装置において、
前記規制部は、前記出口とは反対側に設けられる前記気流のストッパーであることを特徴とする液体吐出装置。
【発明の詳細な説明】
【技術分野】
【０００１】
本発明は、液体吐出装置に関する。
【背景技術】
【０００２】
従来から、被記録媒体などの媒体にインクなどの液体を吐出する液体吐出装置が開示されている。このような液体吐出装置においては、該液体のミストが該液体の吐出部などに付着して溜まり、そのミストが媒体に垂れて媒体を汚してしまう場合があった。このため、ミストが液体の吐出部などに付着することを抑制する技術が開示されている。  
例えば、特許文献１及び２には、インクを吐出部から吐出することに伴って発生するインクのミストを回収する回収部を備えた液体吐出装置が開示されている。なお、特許文献１及び２の液体吐出装置は、吐出部を有するキャリッジを往復移動方向に往復移動させて記録する構成である。
【先行技術文献】
【特許文献】
【０００３】
【特許文献１】特開２００７−２２９９５０号公報
【特許文献２】特開２００４−２３７６９１号公報
【発明の概要】
【発明が解決しようとする課題】
【０００４】
特許文献１及び２の液体吐出装置は、インクを吐出部から吐出することに伴って発生するインクのミストを好適に回収することができる。しかしながら、吐出部から液体を吐出することに伴って発生する該液体のミストを発生後すぐに捕捉することができれば、さらに効果的にミストを回収することができる。
【０００５】
そこで、本発明の目的は、吐出部から液体を吐出することに伴って発生する該液体のミストを発生後すぐに捕捉することである。
【課題を解決するための手段】
【０００６】
上記課題を解決するための本発明の第１の態様の液体吐出装置は、媒体に液体を吐出する吐出部を有し、往復移動方向に往復移動可能なキャリッジと、前記液体が前記吐出部から吐出されることに伴い発生するミストを回収口から回収する回収部と、を備え、前記キャリッジは、前記往復移動方向における前記吐出部の少なくとも片側に、前記吐出部から前記液体を吐出することに伴い発生するミストを捕捉する捕捉部を有し、前記捕捉部は、前記キャリッジの前記往復移動に伴って気流を流入可能な前記ミストの捕捉口と、該気流の出口と、該捕捉口から流入した該気流が該出口方向へ向かうよう規制する規制部と、を有し、前記出口は、前記回収口と対向可能な位置に設けられることを特徴とする。
【０００７】
本発明の第２の態様の液体吐出装置は、前記第１の態様において、捕捉口は、前記媒体に面する側に設けられることを特徴とする。
【０００８】
本発明の第３の態様の液体吐出装置は、前記第１の態様において、前記捕捉口は、前記往復移動方向における端部側に設けられ、前記捕捉部は、前記捕捉口に回動部が設けられ、該回動部が前記キャリッジの前記往復移動に伴って回動することにより前記捕捉口を開閉可能であり、前記往復移動方向のうちの前記捕捉口が先方側に位置する方向の移動に伴って、前記捕捉口は開かれる状態となることを特徴とする。
【０００９】
本発明の第４の態様の液体吐出装置は、前記第１から第３のいずれか１つの態様において、前記規制部は、前記出口とは反対側に設けられる前記気流のストッパーであることを特徴とする。
【発明の効果】
【００１０】
本発明によれば、吐出部から液体を吐出することに伴って発生する該液体のミストを発生後すぐに捕捉することができる。
【図面の簡単な説明】
【００１１】
【図１】本発明の実施例１の記録装置を表す概略斜視図。
【図２】本発明の実施例１の記録装置を表す概略平面図。
【図３】本発明の実施例１の記録装置を表す概略正面図。
【図４】本発明の実施例１の記録装置を表す概略側面図。
【図５】本発明の実施例１の記録装置を表す概略背面図。
【図６】本発明の実施例１の記録装置の要部を表す概略斜視図。
【図７】本発明の実施例１の記録装置を表すブロック図。
【図８】本発明の実施例１の記録装置のキャリッジを表す概略斜視図。
【図９】本発明の実施例１の記録装置のキャリッジを表す概略正面図。
【図１０】本発明の実施例１の記録装置のキャリッジを表す概略側面図。
【図１１】本発明の実施例１の記録装置のキャリッジを表す概略正面図。
【図１２】本発明の実施例１の記録装置のキャリッジを表す概略平面図。
【図１３】本発明の実施例１の記録装置のキャリッジを表す概略正面図。
【図１４】本発明の実施例１の記録装置のキャリッジを表す概略側面図。
【図１５】本発明の実施例１の記録装置の要部を表す概略側面断面図。
【図１６】本発明の実施例１の記録装置の回収部を表す概略斜視図。
【図１７】本発明の実施例２の記録装置のキャリッジを表す概略側面図。
【図１８】本発明の実施例２の記録装置のキャリッジを表す概略正面図。
【発明を実施するための形態】
【００１２】
［実施例１］（図１〜図１６）  
以下に、本発明の液体吐出装置としての一実施例に係る記録装置について、添付図面を参照して詳細に説明する。  
最初に、本発明の実施例１に係る記録装置１の概要について説明する。  
図１は本実施例の記録装置１の概略斜視図である。また、図２は本実施例の記録装置１の概略平面図である。また、図３は本実施例の記録装置１の概略正面図である。また、図４は本実施例の記録装置１の概略側面図である。また、図５は本実施例の記録装置１の概略背面図である。そして、図６は本実施例の記録装置１の要部である記録領域周辺を表す概略斜視図である。なお、また、図１から図６は、本実施例の記録装置１から構成部材の一部を取り外した状態を表しており、例えば、キャリッジ６から記録ヘッド７（図１２参照）を有するサブキャリッジ５（図１３参照）を取り外した状態を表している。
【００１３】
本実施例の記録装置１は、粘着剤が付着された支持面で被記録媒体（媒体）を支持する粘着性ベルト２（無端ベルト）により被記録媒体を搬送方向Ａに搬送する搬送機構３を備えている。また、ロール状の被記録媒体をセット可能であり、該被記録媒体を搬送機構３に繰り出すことが可能な不図示の繰出部を備えている。また、搬送機構３による被記録媒体の搬送領域に、吐出部としての記録ヘッド７を備えたキャリッジ６を被記録媒体の搬送方向Ａと交差する往復移動方向Ｂに往復走査させて記録する記録機構４を備えている。さらに、記録機構４において記録がなされた被記録媒体を巻き取ることが可能な不図示の巻取機構を備えている。
【００１４】
本実施例の搬送機構３は、繰出部から繰り出された被記録媒体を載置して搬送する粘着性ベルト２と、粘着性ベルト２を移動させる駆動ローラー８と、従動ローラー９と、を備えている。被記録媒体は粘着性ベルト２の支持面に貼り付けられて載置される。  
ただし、搬送ベルトとしての無端ベルトは粘着性ベルトに限定されない。例えば、静電吸着式の無端ベルトを用いてもよい。  
なお、本実施例の記録装置１は、このような構成の搬送機構３を備えているが、このような構成の搬送機構に限定されず、被記録媒体を移動式の支持トレイなどに支持させて搬送する構成や、被記録媒体をローラー対などにより搬送させる構成などとしてもよい。さらには、被記録媒体を支持部に固定させ、固定された被記録媒体に対して記録ヘッド７を移動させて記録する、所謂フラッドベッドタイプの記録装置としてもよい。
【００１５】
記録機構４は、インク（液体）を吐出可能な記録ヘッド７を備えるキャリッジ６を往復移動方向Ｂに往復移動させるキャリッジモーター３０（図７参照）を有している。  
本実施例の記録装置１は、記録の際、記録ヘッド７を備えるキャリッジ６を往復走査させて記録するが、記録走査中（キャリッジ６の移動中）は、搬送機構３は被記録媒体の搬送を停止させる。別の表現をすると、記録の際、キャリッジ６の往復走査と被記録媒体の搬送は交互に行われる。すなわち、記録の際、キャリッジ６の往復走査に対応して、搬送機構３は被記録媒体を間欠搬送（粘着性ベルト２を間欠移動）させている。
【００１６】
なお、本実施例の記録装置１の骨格部を構成するパイプ１１ａには往復移動方向Ｂに延設されるレール１０ａが構成され、本実施例の記録装置１の骨格部を構成するパイプ１１ｂには往復移動方向Ｂに延設されるレール１０ｂが構成されている。そして、本実施例のキャリッジ６は、レール１０ａ及びレール１０ｂに不図示の軸受部が受けられることで、往復移動方向Ｂへの移動がレール１０ａ及びレール１０ｂにガイドされる。
【００１７】
また、パイプ１１ｂの下部の位置には、往復移動方向Ｂに延設され、不図示の複数の送風口から搬送方向Ａとは逆方向に送風する、送風部１２が設けられている。そして、パイプ１１ａの下部の位置には、往復移動方向Ｂに延設され、記録ヘッド７から吐出されたインクのミストを回収可能な、ミストの回収部１３が設けられている。なお、ミストの回収部１３は、パイプ１１ａの下部の位置において往復移動方向Ｂに延設される回収口１６が設けられている。  
また、本実施例の記録装置１の搬送方向Ａにおける下流側には、図３で表されるように、送風部１２による送風力を発生させる送風ファン１４が複数（３つ）設けられている。送風ファン１４が発生させる送風力により、送風部１２は回収部１３の外部（搬送方向Ａにおける下流側の位置）から回収口１６に向けて送風することが可能になっている。そして、本実施例の記録装置１の搬送方向Ａにおける上流側には、図５で表されるように、回収口１６から回収部１３の内部に向けて、さらに、回収部１３の内部から記録装置１の外部に向けて、気流Ｗ４（図１５参照）を発生させる吸引部としての吸引ファン１５が複数（３つ）設けられている。
【００１８】
次に、本実施例の記録装置１における電気的な構成について説明する。  
図７は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００１９】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、送風ファンモーター１７、吸引ファンモーター１８及びサブキャリッジファンモーター２２を駆動させるためのモーター駆動部２９と接続されている。  
ここで、キャリッジモーター３０は、記録ヘッド７を備えたキャリッジ６を移動させるためのモーターである。また、搬送モーター３１は、駆動ローラー８を駆動するためのモーターである。また、繰出モーター３２は、不図示の繰出部にセットされた被記録媒体を搬送機構３に送り出すための繰出部の駆動モーターである。また、巻取モーター３３は、記録がなされた被記録媒体を巻き取るために不図示の巻取機構を駆動させるための駆動モーターである。また、送風ファンモーター１７は、送風ファン１４を駆動するためのモーターである。また、吸引ファンモーター１８は、吸引ファン１５を駆動するためのモーターである。そして、サブキャリッジファンモーター２２は、後述するサブキャリッジファン２１（図１３参照）を駆動するためのモーターである。  
さらに、ＣＰＵ２４は、システムバス２５を介して、入出力部３４と接続されており、入出力部３４は、記録データ等のデータ及び信号の送受信を行うためのＰＣ３５と接続されている。
【００２０】
次に、本実施例の記録装置１の要部であるキャリッジ６について説明する。  
図８から図１４は、本実施例のキャリッジ６の概略図を表している。このうち、図８は本実施例のキャリッジ６の概略斜視図、図９、図１１及び図１３は本実施例のキャリッジ６の概略正面図、図１０及び図１４は本実施例のキャリッジ６の概略側面図、図１２は本実施例のキャリッジ６の概略平面図、を表している。また、図８から図１１はキャリッジ６から構成部材の一部、例えば、記録ヘッド７を有するサブキャリッジ５を取り外した状態を表している。また、図８及び図１１は、キャリッジ６の移動に伴って生じる気流を出口４０方向へ向かうよう規制する規制部としての蓋部２０を、捕捉部３８ａ及び３８ｂの一端側端部３９から取り外した状態（省略して表した状態）を表している。そして、図１２から図１４はキャリッジ６に記録ヘッド７を有するサブキャリッジ５を複数取り付けた状態を表しているが、図１２は各サブキャリッジ５に設けられた複数の記録ヘッド７の配置がわかるように透視図となっている。なお、図１０における図１０（Ａ）は、キャリッジ６を正面から見て右側の概略側面図であり、図１０（Ｂ）は、キャリッジ６を正面から見て左側の概略側面図である。
【００２１】
図１２及び図１３で表されるように、本実施例のキャリッジ６には、複数（６つ）のサブキャリッジ５を取り付け可能である。そして、図１２で表されるように、各サブキャリッジ５には、複数の記録ヘッド７が互い違い（ｓｔａｇｇｅｒ）に配置されている。なお、各サブキャリッジ５には、複数の記録ヘッド７の他に、基板などが内部に構成されており、該基板を冷却するためのサブキャリッジファン２１が設けられている。  
サブキャリッジファン２１は、サブキャリッジ５の内部に気流を送る（送風する）ことで、サブキャリッジ５の内部の温度上昇を抑制するものなので、インクのミストがサブキャリッジファン２１の周辺にあると該ミストをサブキャリッジ５の内部に送ってしまい、基板などにミストを付着させる虞がある。  
このため、本実施例の記録装置１には、基板などへのミストの付着を抑制するために、ミストの捕捉部３８ａ及び３８ｂのほか、送風部１２と回収部１３とが設けられている。
【００２２】
また、本実施例のキャリッジ６には、図８で表されるように、サブキャリッジ５の取付部３６が設けられる。  
また、図８、図９、図１１、図１２及び図１３で表されるように、記録ヘッド７から吐出されたインクのミストが上側に舞い上がり、該ミストがサブキャリッジ５に付着することを抑制するための枠状部３７が設けられている。枠状部３７は、記録ヘッド７に近くミストが多い領域に対して、ミストが舞い上がってくるのを抑制してサブキャリッジ５の上側の領域をミストの少ない領域に保つセパレーターの役割をしている。
【００２３】
さらに、図８から図１４で表されるように、往復移動方向Ｂにおける枠状部３７の外側には、ミストの捕捉部３８ａ及び３８ｂが設けられている。  
ここで、例えば、図１１で表されるように、キャリッジ６の往復移動方向Ｂのうちの方向Ｂ１への移動中は、該往復移動方向Ｂのうちの方向Ｂ１における後方側に気流Ｗ１が発生する。また、図１１で表されるように、キャリッジ６の方向Ｂ１への移動中に、該移動に伴って、枠状部３７の方向Ｂ１における後方側における捕捉部３８ａでは、ミストの捕捉口４３から流入した気流Ｗ１により、対流Ｗ２が発生する。すなわち、キャリッジ６を移動させることで、捕捉部３８ａ及び３８ｂでミストを捕捉することができる構成になっている。  
そして、本実施例の捕捉部３８ａ及び３８ｂは共に、搬送方向Ａの下流側の一端側端部３９に蓋部２０が設けられる一方、搬送方向Ａの上流側の他端側は開口部となっており該開口部が捕捉部３８ａ及び３８ｂに捕捉されたミストの出口４０となっている。すなわち、出口４０は回収部１３の回収口１６と対向する側に設けられている。
【００２４】
別の表現をすると、本実施例の記録装置１は、被記録媒体にインクを吐出する記録ヘッド７を有し、往復移動方向Ｂに往復移動可能なキャリッジ６と、インクが記録ヘッド７から吐出されることに伴い発生するミストを回収口１６から回収する回収部１３と、を備えている。そして、該キャリッジ６は、往復移動方向Ｂにおける記録ヘッド７の両端部に、記録ヘッド７からインクを吐出することに伴い発生するミストを捕捉する捕捉部３８ａ及び３８ｂを有している。そして、捕捉部３８ａ及び３８ｂは、キャリッジ６の往復移動に伴って気流を流入可能なミストの捕捉口４３と、該気流の出口４０と、該捕捉口４３から流入した該気流が該出口４０方向へ向かうよう規制する規制部としての蓋部２０と、を有し、出口４０は、回収口１６と対向可能な位置に設けられている。  
このように、キャリッジ６は、往復移動方向Ｂにおける吐出部７の両端部に、吐出部７から液体を吐出することに伴い発生するミストを捕捉する捕捉部３８ａ及び３８ｂを有する。このため、本実施例の記録装置１は、キャリッジ６に設けられた捕捉部３８ａ及び３８ｂによりキャリッジ６の往復移動に伴って吐出部７からインクを吐出することに伴って発生する該インクのミストを発生後すぐに捕捉することができる構成になっている。  
また、捕捉部３８ａ及び３８ｂはキャリッジの往復移動に伴って気流を流入可能なミストの捕捉口４３と、該気流の出口４０と、該捕捉口４３から流入した該気流が該出口４０方向へ向かうよう規制する蓋部２０と、を有し、出口４０は、回収口１６と対向可能な位置に設けられる。このため、本実施例の記録装置１は、捕捉部３８ａ及び３８ｂに流入したミストを回収部１１に移動させることができ、捕捉部３８ａ及び３８ｂ自体がミストで汚れて不具合が生じることも抑制できる構成になっている。  
なお、本実施例のキャリッジ６は、往復移動方向Ｂの両端部に捕捉部を備える構成であるが、往復移動方向Ｂにおける記録ヘッド７の少なくとも片側に捕捉部を備える構成であればよい。
【００２５】
また、図８から図１１で表されるように、本実施例の捕捉部３８ａ及び３８ｂは、被記録媒体に面する側に捕捉口４３が設けられている。このため、ミストが多く浮遊する被記録媒体に面する側からミストを捕捉できるので、吐出部７からインクを吐出することに伴って発生する該インクのミストを発生後すぐに効率よく捕捉することができる。  
さらに、本実施例の捕捉部３８ａ及び３８ｂは、往復移動方向Ｂと交差する交差方向である搬送方向Ａに延設されているので、搬送方向Ａにおける広い範囲からミストを捕捉できる。  
なお、本実施例の捕捉口４３は搬送方向Ａに沿った長方形の開口であり、出口４０とはその開口方向が異なっているだけの連続開口として構成されているが、このような構成に限定されず、例えば、捕捉口４３は搬送方向Ａに沿って複数の孔が設けられる構成などとしてもよいし、捕捉口４３と出口４０との境界領域に蓋部材を設けて開口を分離してもよい。
【００２６】
また、本実施例の規制部は、上記のように蓋部２０であり、詳細には、捕捉部３８ａ及び３８ｂにおける出口４０とは反対側に設けられる気流のストッパーである。このため、本実施例の記録装置１は、簡単な構成の規制部により、捕捉部３８ａ及び３８ｂに流入したミストを回収部１３に移動させることができる構成になっている。しかしながら、流入したミストを回収部１３に移動させることが可能な構成であれば、規制部の構成は、本実施例のような蓋部２０のような構成に限定されず、例えば捕捉部３８ａ及び３８ｂの一端側端部３９を部分的に覆う構造や、網状やスリット状の構造であってもよく、捕捉部３８ａ及び３８ｂに流入したミストが一端側端部３９側に移動するのを抑制して、回収部１３側への移動を促進できる構造であればよい。
【００２７】
次に、本実施例の記録装置１の回収部１３について説明する。  
ここで、図１５は、本実施例の回収部１３とキャリッジ６及び送風部１２との位置関係を説明するための、本実施例の記録装置１の要部の概略側面断面図である。また、図１６は、回収部１３の内部の回収室４１を表す概略斜視図である。
【００２８】
図１５で表されるように、搬送方向Ａにおいて、キャリッジ６の往復移動方向Ｂにおける移動領域（記録領域に対応）よりも下流側には、搬送方向Ａにおける上流側に向けて気流を送風可能な送風部１２が設けられ、該移動領域よりも上流側には、回収部１３が設けられている。このように回収部１３が配置されていることにより、記録領域で発生したインクのミストを効率よく回収可能にしている。  
また、図１５で表されるように、出口４０は回収部１３の回収口１６と対向可能な配置になっている。図１１で表されるように、キャリッジ６の往復移動に伴って捕捉口４３から捕捉部３８ａ及び３８ｂに流入した気流Ｗ１は、捕捉部３８ａ及び３８ｂの内部で対流Ｗ２を生じさせる。そして、捕捉部３８ａ及び３８ｂの搬送方向Ａにおける上流側には出口４０が設けられ下流側には気流のストッパーとしての蓋部２０が設けられるので、捕捉部３８ａ及び３８ｂの内部において図１５で表されるように出口４０側に向かう気流Ｗ３が生じる。  
本実施例の記録装置１は、このような構成により、ミストを捕捉部３８ａ及び３８ｂで捕捉し、捕捉したミストを該捕捉部３８ａ及び３８ｂから回収部１３に移動させることができる。そして、回収部１３の内部においては、図５で表される吸引ファン１５により、図１５で表されるように気流Ｗ４を発生させ、ダクト４２（図１６参照）を介して記録装置１の外部にミストを移動させることができる。
【００２９】
なお、本実施例の記録装置１においては、捕捉部３８ａ及び３８ｂの内部から出口４０に向かう気流３の風速は、吸引ファン１５によって回収口１６から回収部１３の内部に向かう気流Ｗ４の風速よりも遅くなるように調整されている。  
すなわち、本実施例の記録装置１は、回収口１６の位置を基準にして、回収部１３の外部から回収口１６に向かう気流Ｗ３の風速よりも回収口１６から回収部１３の内部に向かう気流Ｗ４の風速のほうを速くしている。このため、本実施例の記録装置１は、気流Ｗ３の風速が気流Ｗ４の風速よりも遅くなるように調整することで、ミストを含んだ気流Ｗ３が回収部１３に入りきらないということを抑制している。
【００３０】
また、図１５で表されるように、本実施例の捕捉部３８ａ及び３８ｂは、搬送方向Ａにおける上流側がテーパー形状になっている（出口４０に向かって高さ方向の長さが小さくなっている）。このため、回収部１３に向けてミストを精度よく送風することができる構成になっている。
【００３１】
また、上記のように、本実施例の記録装置１は、図５で表されるように吸引ファン１５を備えているが、吸引ファン１５は図１６で表されるダクト４２を介して回収室４１と接続されている。別の表現をすると、回収部１３は、回収口１６から該回収部１３の内部に向けて気流を発生させる吸引部としての吸引ファン１５を有している。このため、本実施例の記録装置１は、回収部１３からインクのミストが逆流することを好適に抑制することができる構成になっている。
【００３２】
また、上記のように、本実施例の記録装置１は、回収部１３の外部から回収口１６に向けて送風する送風部１２を備えているため、ミストを効率よく回収部１３に誘導することができる構成になっている。  
なお、送風部１２は、制御部２３の制御により、キャリッジ６（記録ヘッド７）の往復移動方向Ｂへの移動中（記録中）は、送風を停止する。このため、送風部１２が発生する気流により記録ヘッド７から吐出されるインクの吐出位置にずれが生じることを抑制することが可能な構成になっている。  
さらに、本実施例の記録装置１は、送風部１２が発生する気流の風速よりも回収口１６から回収部１３の内部に向かう気流Ｗ４の風速のほうを速くしている。このため、本実施例の記録装置１は、ミストを含んだ送風部１２が発生する気流が回収部１３に入りきらないということを抑制している。
【００３３】
また、上記のように、本実施例の記録装置１は、記録ヘッド７が往復移動方向Ｂに往復移動しつつインクを吐出可能な構成であるが、吸引ファン１５は、制御部２３の制御により、キャリッジ６（記録ヘッド７）の往復移動方向Ｂへの移動中及び停止中の何れにおいても吸引状態をとることができる。すなわち、吸引ファン１５を常時吸引状態とすることができる。吸引ファン１５により回収部１３の内部で気流を発生させてもインクの吐出位置にずれは生じないので、本実施例の記録装置１は、吸引ファン１５を常時吸引状態とすることで、記録ヘッド７から吐出されるインクの吐出位置にずれが生じることを抑制しつつ、回収部１３からインクのミストが逆流することを好適に抑制することができる構成になっている。
【００３４】
なお、本実施例の回収部１３は、図１５で表されるように、回収口１６の構成領域と上面以外の各面を構成する図１６で表されるような基体部４６に、上面を構成するパイプ１１ａを載せることで回収室４１が形成される構成であるが、このような構成に限定されない。
【００３５】
［実施例２］（図１７及び図１８）  
次に、本発明の実施例２に係る記録装置について説明する。  
図１７は本発明の実施例２に係る記録装置１のキャリッジ６を表す概略側面図であり、実施例１の記録装置１のキャリッジ６を表す図１０に対応している。また、図１８は本発明の実施例２に係る記録装置１のキャリッジ６を表す概略正面図であり、実施例１の記録装置１のキャリッジ６を表す図１１に対応している。  
なお、上記実施例１と共通する構成部材は同じ符号で示しており、詳細な説明は省略する。  
本実施例の記録装置１は、捕捉部３８ａ及び３８ｂの捕捉口４３の構成のみが実施例１の記録装置１と相違する。
【００３６】
図１７及び図１８で表されるように、本実施例の捕捉部３８ａ及び３８ｂは、捕捉口４３は、往復移動方向Ｂにおける端部側に設けられている。そして、捕捉口４３には、回動部１９が設けられ、該回動部１９がキャリッジ６の往復移動に伴って回動することにより捕捉口４３が開閉可能な構成になっている。  
ここで、回動部１９は、図１８で表されるように、回動軸４４と、回動軸４４を基準に回動方向Ｃに回動可能な板状部４５とで構成されている。なお、本実施例の回動部１９は、捕捉部３８ａ及び３８ｂの内側に構成され、外側には規制されているので、内側にのみ回動する構成である。そして、例えば、図１８で表されるように、往復移動方向Ｂのうちの方向Ｂ２にキャリッジ６が移動する場合、方向Ｂ２において捕捉口４３が先方側に位置する捕捉部３８ａの回動部１９が、方向Ｂ２のキャリッジ６の移動に伴う風圧により内側に押されることで、捕捉部３８ａの捕捉口４３は開かれる状態となる。そして、その風圧に伴う気流Ｗ５によりミストが捕捉部３８ａに流入し、対流Ｗ６を形成することでミストが該捕捉部３８ａで捕捉される。一方、この場合、捕捉部３８ｂの捕捉口４３は閉じられた状態を維持することとなる。  
すなわち、本実施例の捕捉部３８ａ及び３８ｂは、往復移動方向Ｂのうちの捕捉口４３が先方側に位置する方向の移動に伴って、その風圧により捕捉口４３が開閉可能な構成を簡単に形成している。そして、このような構成とすることで、本実施例の捕捉部３８ａ及び３８ｂは、往復移動方向Ｂのうちの捕捉口４３が先方側に位置する方向の移動に伴って、捕捉口４３は開かれる状態となる。  
このような構成により、本実施例の記録装置１は、キャリッジ６の往復移動に伴って、先方側で捕捉口４３から効率的にミストを捕捉できるとともに、停止時及び後方側で捕捉されたミストが捕捉部３８ａ及び３８ｂから捕捉口４３を介して逃げて拡散することを抑制できる構成になっている。
【００３７】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３８】
本発明の第１の態様の液体吐出装置１は、媒体に液体を吐出する吐出部７を有し、往復移動方向Ｂに往復移動可能なキャリッジ６と、前記液体が吐出部７から吐出されることに伴い発生するミストを回収口１６から回収する回収部１３と、を備え、キャリッジ６は、往復移動方向Ｂにおける吐出部７の少なくとも片側に、吐出部７から前記液体を吐出することに伴い発生するミストを捕捉する捕捉部３８ａ及び３８ｂを有し、捕捉部３８ａ及び３８ｂは、キャリッジ６の前記往復移動に伴って気流を流入可能な前記ミストの捕捉口４３と、該気流の出口４０と、該捕捉口４３から流入した該気流が該出口４０方向へ向かうよう規制する規制部２０と、を有し、出口４０は、回収口１６と対向可能な位置に設けられることを特徴とする。
【００３９】
本態様によれば、キャリッジ６は、往復移動方向Ｂにおける吐出部７の少なくとも片側に、吐出部７から液体を吐出することに伴い発生するミストを捕捉する捕捉部３８ａ及び３８ｂを有する。このため、キャリッジ６に設けられた捕捉部３８ａ及び３８ｂによりキャリッジ６の往復移動に伴って吐出部７から液体を吐出することに伴って発生する該液体のミストを発生後すぐに捕捉することができる。また、捕捉部３８ａ及び３８ｂはキャリッジの往復移動に伴って気流を流入可能なミストの捕捉口４３と、該気流の出口４０と、該捕捉口４３から流入した該気流が該出口４０方向へ向かうよう規制する規制部２０と、を有し、出口４０は、回収口１６と対向可能な位置に設けられる。このため、捕捉部３８ａ及び３８ｂに流入したミストを回収部１３に移動させることができ、捕捉部３８ａ及び３８ｂ自体がミストで汚れて不具合が生じることも抑制できる。
【００４０】
本発明の第２の態様の液体吐出装置１は、前記第１の態様において、捕捉口４３は、前記媒体に面する側に設けられることを特徴とする。
【００４１】
本態様によれば、捕捉部３８ａ及び３８ｂは、媒体に面する側に捕捉口４３が設けられる。このため、ミストが多く浮遊する媒体に面する側から、ミストを捕捉できる。したがって、吐出部７から液体を吐出することに伴って発生する該液体のミストを発生後すぐに効率よく捕捉することができる。
【００４２】
本発明の第３の態様の液体吐出装置１は、前記第１の態様において、捕捉口４３は、往復移動方向Ｂにおける端部側に設けられ、捕捉部３８ａ及び３８ｂは、捕捉口４３に回動部１９が設けられ、該回動部１９がキャリッジ６の前記往復移動に伴って回動することにより捕捉口４３を開閉可能であり、往復移動方向Ｂのうちの捕捉口４３が先方側に位置する方向の移動に伴って、捕捉口４３は開かれる状態となることを特徴とする。
【００４３】
本態様によれば、捕捉部３８ａ及び３８ｂは、捕捉口４３に回動部１９が設けられ、該回動部１９がキャリッジ６の往復移動に伴って回動することにより捕捉口４３を開閉可能である。そして、捕捉口４３は、往復移動方向Ｂにおける端部側に設けられ、往復移動方向Ｂのうちの捕捉口４３が先方側に位置する方向の移動に伴って、捕捉口４３は開かれる状態となる。このため、例えば、キャリッジ６の往復移動に伴う風圧などにより捕捉口４３が開閉可能な構成など、往復移動方向Ｂのうちの捕捉口４３が先方側に位置する方向の移動に伴って捕捉口４３が開かれる状態となる構成を簡単に形成できる。そして、このような構成とすることで、キャリッジ６の往復移動に伴って、先方側で捕捉口４３から効率的にミストを捕捉できるとともに、停止時及び後方側で捕捉されたミストが捕捉部３８ａ及び３８ｂから捕捉口４３を介して逃げて拡散することを抑制できる。
【００４４】
本発明の第４の態様の液体吐出装置１は、前記第１から第３のいずれか１つの態様において、規制部２０は、出口４０とは反対側に設けられる前記気流のストッパーであることを特徴とする。
【００４５】
本態様によれば、規制部２０は出口４０とは反対側に設けられる気流のストッパーである。このため、簡単な構成の規制部２０により、捕捉部３８ａ及び３８ｂに流入したミストを回収部１３に移動させることができる。
【符号の説明】
【００４６】
１  記録装置（液体吐出装置）、２  粘着性ベルト、３  搬送機構、４  記録機構、
５  サブキャリッジ、６  キャリッジ、７  記録ヘッド（吐出部）、８  駆動ローラー、
９  従動ローラー、１０ａ、１０ｂ  レール、１１ａ、１１ｂ  パイプ、
１２  送風部、１３  回収部、１４  送風ファン、１５  吸引ファン、１６  回収口、
１７  送風ファンモーター、１８  吸引ファンモーター、１９  回動部、
２０  蓋部（規制部）、２１  サブキャリッジファン、
２２  サブキャリッジファンモーター、２３  制御部、２４  ＣＰＵ、
２５  システムバス、２６  ＲＯＭ、２７  ＲＡＭ、２８  ヘッド駆動部、
２９  モーター駆動部、３０  キャリッジモーター、３１搬送モーター、
３２  繰出モーター、３３  巻取モーター、３４  入出力部、３５  ＰＣ、
３６  サブキャリッジ５の取付部、３７  枠状部、３８ａ、３８ｂ  捕捉部、
３９  捕捉部３８ａ及び３８ｂの一端側端部、４０  出口、４１  回収室、
４２  ダクト、４３  捕捉口、４４  回動軸、４５  板状部、４６  基体部、
Ｗ１、Ｗ２、Ｗ３、Ｗ４、Ｗ５、Ｗ６  気流
【図１】
0006468432.tif 000002
【図２】
0006468432.tif 000003
【図３】
0006468432.tif 000004
【図４】
0006468432.tif 000005
【図５】
0006468432.tif 000006
【図６】
0006468432.tif 000007
【図７】
0006468432.tif 000008
【図８】
0006468432.tif 000009
【図９】
0006468432.tif 000010
【図１０】
0006468432.tif 000011
【図１１】
0006468432.tif 000012
【図１２】
0006468432.tif 000013
【図１３】
0006468432.tif 000014
【図１４】
0006468432.tif 000015
【図１５】
0006468432.tif 000016
【図１６】
0006468432.tif 000017
【図１７】
0006468432.tif 000018
【図１８】
0006468432.tif 000019